(57)【要約】【課題】外壁にコンセントを設けることなく、屋外側に設けられた電機機器の電源線の配策経路を確保することが可能な水切部材及び建物を得る。【解決手段】水切部材２４に電源線５６が挿通可能な孔部５４が設けられており、当該水切部材２４を通じて屋外３２側から屋内４４側へ引き込んだ電源線５６を床下空間６６や壁内６８に配策させ、屋内４４側に配設されたコンセント又は分電盤等の電源部に接続させることができる。つまり、電機機器の電源線の配策経路を確保することができる。これにより、建物１０の屋外３２側にある電機機器５８に対して、建物１０の屋内４４から電力を供給することができる。【選択図】図１
2014227650.tif 000002
【特許請求の範囲】
【請求項１】
建物の外壁の下方に配置可能とされ、前記外壁の表面を伝って流下した水を前記建物の基礎部よりも外側へ排出させる水切本体と、
前記水切本体に設けられ、前記建物の屋外側から屋内側へ引き込まれ屋内側の電源部に接続される電源線が挿通可能な孔部と、
を有する水切部材。
【請求項２】
前記水切本体の表面側から突出して当該水切本体の下部に底壁が設けられ、前記底壁に前記孔部が形成されている請求項１に記載の水切部材。
【請求項３】
前記水切本体において前記建物の外周に沿った長手方向の一部に突出部が設けられている請求項２に記載の水切部材。
【請求項４】
前記突出部は、前記水切本体の長手方向の一端部に設けられている請求項３に記載の水切部材。
【請求項５】
請求項１〜４の何れか１項に記載の水切部材が配設され、前記建物の屋外に配設された電機機器の電源線が前記水切部材に設けられた孔部へ挿通されて建物の屋内側へ引き込まれている建物。
【発明の詳細な説明】
【技術分野】
【０００１】
本発明は、水切部材及び建物に関する。
【背景技術】
【０００２】
例えば、特許文献１に記載の発明では、建物の外壁の下方に配設される水切り（水切部材）の長手方向に沿って配線ダクトが形成されており、当該配線ダクトの長手方向に沿って電線（電源線）を配設可能としている。
【先行技術文献】
【特許文献】
【０００３】
【特許文献１】実開平３−８９８０６号公報
【発明の概要】
【発明が解決しようとする課題】
【０００４】
この先行技術では、水切りに設けられた配線ダクト内に配設された電線を通じて、屋外側の電機機器へ電力を供給できるようにしているが、当該電機機器へ電力を供給するため当該電機機器のプラグを差し込むコンセントは外壁に設けられている。
【０００５】
本発明は上記事実を考慮し、外壁にコンセントを設けることなく、屋外側に設けられた電機機器の電源線の配策経路を確保することが可能な水切部材及び建物を得ることが目的である。
【課題を解決するための手段】
【０００６】
請求項１に記載の発明に係る水切部材は、建物の外壁の下方に配置可能とされ、前記外壁の表面を伝って流下した水を前記建物の基礎部よりも外側へ排出させる水切本体と、前記水切本体に設けられ、前記建物の屋外側から屋内側へ引き込まれ屋内側の電源部に接続される電源線が挿通可能な孔部と、を有している。
【０００７】
請求項１に記載の発明に係る水切部材では、建物の外壁の下方に水切本体が配置可能とされており、当該水切本体によって、外壁の表面を伝って流下した水が建物の基礎部よりも外側へ排出される。この水切本体には孔部が設けられており、当該孔部には、建物の屋外側から屋内側へ引き込まれ屋内側の電源部に接続される電源線が挿通可能となっている。
【０００８】
このように、水切部材において、電源線が挿通可能な孔部を設けることで、当該水切部材を通じて屋外側から屋内側へ電源線を引き込むことができ、当該電源線を屋内側の電源部に接続させることができる。これにより、建物の屋外側にある電機機器に対して、建物の屋内側から電力を供給することができる。
【０００９】
請求項２に記載の発明に係る水切部材は、請求項１に記載の発明に係る水切部材において、前記水切本体の表面側から突出して当該水切本体の下部に底壁が設けられ、前記底壁に前記孔部が形成されている。
【００１０】
請求項２に記載の発明に係る水切部材では、水切本体は表面側から突出して当該水切本体の下部に底壁が設けられており、この底壁に孔部が形成されているため、建物を正面視した状態で当該孔部が外観に露出することはない。
【００１１】
請求項３に記載の発明に係る水切部材は、請求項２に記載の発明に係る水切部材において、前記水切本体において前記建物の外周に沿った長手方向の一部に突出部が設けられている。
【００１２】
請求項３に記載の発明に係る水切部材では、水切本体において建物の外周に沿った長手方向の一部に突出部が設けられており、当該突出部の幅を必要最小限とすることができる。
【００１３】
請求項４に記載の発明に係る水切部材は、請求項３に記載の発明に係る水切部材において、前記突出部は、前記水切本体の長手方向の一端部に設けられている。
【００１４】
請求項４に記載の発明に係る水切部材では、突出部は、水切本体の長手方向の一端部に設けられているため、建物の出隅部や入隅部に突出部が配置されるように水切部材を取り付けることができる。
【００１５】
請求項５に記載の発明に係る建物は、請求項１〜４の何れか１項に記載の水切部材が配設され、前記建物の屋外に配設された電機機器の電源線が前記水切部材に設けられた孔部へ挿通されて建物の屋内側へ引き込まれている。
【００１６】
請求項５に記載の発明に係る建物では、建物の屋外に配設された電機機器の電源線が、水切部材に設けられた孔部へ挿通されて建物の屋内側へ引き込まれているため、当該電機機器に電力を供給するためのコンセントを外壁に設ける必要がない。
【発明の効果】
【００１７】
以上説明したように、請求項１記載の本発明に係る水切部材は、外壁にコンセントを設けることなく、屋外側に設けられた電機機器の電源線の配策経路を確保することができる、という優れた効果を有する。
【００１８】
請求項２記載の本発明に係る水切部材は、建物の外観を損なう恐れは少ない、という優れた効果を有する。
【００１９】
請求項３記載の本発明に係る水切部材は、突出部の幅を必要最小限にしてコンパクト化を図ることができる、という優れた効果を有する。
【００２０】
請求項４記載の本発明に係る水切部材は、目立たない位置に突出部を配置することができる、という優れた効果を有する。
【００２１】
請求項５記載の本発明に係る建物は、外壁にコンセント用の穴等を開ける必要がないので、外壁における耐力及び防水性が損なわれることはない、という優れた効果を有する。
【図面の簡単な説明】
【００２２】
【図１】本実施の形態に係る水切部材が適用された建物の要部を示す分解斜視図である。
【図２】本実施の形態に係る水切部材が適用された建物の要部を示す断面図である。
【図３】本実施の形態に係る水切部材が適用された建物の作用を説明するための断面図である。
【図４】（Ａ）、（Ｂ）は、本実施の形態に係る水切部材の変形例を示す斜視図である。
【発明を実施するための形態】
【００２３】
以下、図面を参照して本発明の一実施形態に係る水切部材が設けられた建物について説明する。
【００２４】
図３に示されるように、建物１０の下部には、当該建物１０を支持する基礎部１２が設けられており、基礎部１２の上方側には、例えば略矩形状の床フレーム１４が図示しないアンカボルトを介して固定されている。
【００２５】
床フレーム１４は溝型鋼の床大梁１６を備えており、当該床大梁１６には下地フレーム１８が固定されている。この下地フレーム１８は軽溝形綱であり、断面形状が下部を開口とするコ字状を成している。この下地フレーム１８において、屋内側に位置する内側フランジ１８Ａが、図示しないワンサイドボルト等により床大梁１６のウエブ１６Ａに固定されている。
【００２６】
また、下地フレーム１８において、屋外側に位置する外側フランジ１８Ｂには、窯業系サイディング板等による矩形平板状の外壁材２０が図示しないタッピングネジ等により接合固定されている。外側フランジ１８Ｂに外壁材２０が固定された状態で、当該外側フランジ１８Ｂの下部は外壁材２０の下端面から露出しており、外側フランジ１８Ｂの下部には、図１に示されるように、水切部材２２、２４が固定されている。
【００２７】
（水切部材の構成）
ここで、本実施の形態に係る水切部材２２、２４の構成について説明する。
【００２８】
図１に示されるように、水切部材２２、２４は、上部を構成する固定部２６と、下部を構成する水切本体としてのカバー部２８と、を含んで構成されており、固定部２６及びカバー部２８は、水切部材２２、２４の長手方向に沿ってそれぞれ延在されている。水切部材２２と水切部材２４の境界部には、図示しないシール部材が貼着されている。
【００２９】
固定部２６は、建物１０の高さ方向に沿って立設する固定片２７を備えており、セルフドリリングビス３０等により下地フレーム１８の外側フランジ１８Ｂに固定されるようになっている。固定片２７の上端部からは、屋外３２側へ向かって上フランジ３４が略水平に張り出している。なお、この上フランジ３４の先端部は、外壁材２０の表面２０Ａよりも奥側となるようにその長さが設定されている。
【００３０】
また、固定片２７の下端部からは、カバー部２８の上部を構成する上壁部３６が、屋外３２側へ向かって略水平に張り出しており、図２に示されるように、外壁材２０の表面２０Ａよりも屋外３２側へ突出している。上フランジ３４の先端部には、係止片３４Ａが設けられており、カバー部２８の上壁部３６へ向かって垂下されている。一方、カバー部２８の上壁部３６には、係止片３４Ａに対向して係止片３６Ａが水切部材２２、２４の長手方向に沿って延在されている。
【００３１】
カバー部２８の上壁部３６と上フランジ３４との間に設けられた隙間３５内には、長板状のキャップ４０が嵌め込み可能とされている。当該キャップ４０を係止片３４Ａ、３６Ａに係止させることによって、水切部材２２、２４を下地フレーム１８に固定させる際に用いられたセルフドリリングビス３０が目隠しされる。
【００３２】
図１及び図２に示されるように、上壁部３６の先端部からは上側壁部４２が垂下されており、上側壁部４２の下端部からは屋内４４側へ屈曲する屈曲片４２Ａが設けられており、基礎部１２との間の隙間を小さくした状態で、屈曲片４２Ａの先端部には、下側壁部４８が垂下されている。下側壁部４８からは、屈曲片４８Ａが屋内４４側へ向かって屈曲しており、屈曲片４８Ａの先端部と基礎部１２との間の隙間５１をさらに小さくしている。
【００３３】
ここで、水切部材２２は、当該水切部材２４の長手方向の全域に亘って同じ断面形状となっているが、水切部材２４では、当該水切部材２４の長手方向の一端部に突出部５２が設けられている。この突出部５２は、水切部材２４の上壁部３６の先端部から下方へ向かって弧を描くようにして上壁部３６の先端部よりもさらに屋外３２へ突出している。
【００３４】
突出部５２には、水切部材２４の長手方向に沿って互いに対向する側壁５２Ａ、５２Ｂが設けられており、突出部５２の下部には、下側壁部４８の下端部と面一となるように設定された底壁５２Ｃが設けられている。この底壁５２Ｃの略中央部には、孔部５４が貫通しており、当該孔部５４へ電源線５６が挿通可能とされている。
【００３５】
この電源線５６は、屋外３２側に配置される、例えば、プラグインハイブリッド自動車（ＰＨＶ）や電気自動車（ＥＶ）等の車両用蓄電池を充電する充電スタンド、エコキュート（登録商標）等の給湯器や蓄電池等の電機機器５８（図３参照）に接続されたものであり、当該電機機器５８の電源線５６用のジョイント部６０を孔部５４の周縁部に取り付ける。
【００３６】
そして、電源線５６を建物１０の屋外３２側から屋内４４側へ引き込むことで、屋内４４側に配設されたコンセント又は分電盤等の電源部（図示省略）に電源線５６を接続させることができる。このため、屋外３２側から屋内４４側へ電源線５６を引き込む際、電源線５６が挿通可能な孔部５４が形成された水切部材２４を電源線５６のジョイントボックスとして水切部材２２に代えて取り付ける。
【００３７】
水切部材２２の背面側には、金網部材６２が配置されており、当該金網部材６２が下地フレーム１８に固定されることによって、下地フレーム１８の外側フランジ１８Ｂの下端部と基礎部１２の上面１２Ａとの間の隙間６４が塞がれるようになっている。これにより、床下空間６６への鼠などの侵入が防止されるようになっている。
【００３８】
しかし、水切部材２４の突出部５２では、上記のように電源線５６が配策されるため、少なくとも突出部５２の背面側では、金網部材６２は取り除かれる。なお、金網部材６２には、鼠が通過できない大きさの小孔が形成されているが、小孔の図示は省略している。
【００３９】
（水切部材の作用・効果）
図１及び図２に示されるように、水切部材２２、２４（図２では水切部材２２は不図示である）によって、外壁材２０の表面２０Ａを伝って流下した水が建物１０の基礎部１２よりも外側へ排出されるようになっている。建物１０の下地フレーム１８に対して水切部材２２、２４は着脱可能とされており、建物１０の屋外３２に電機機器５８を設置する際、水切部材２２に代えて水切部材２４が配設されることになる。
【００４０】
水切部材２４には突出部５２が設けられており、当該突出部５２の底壁５２Ｃには、孔部５４が設けられている。この孔部５４の周縁部に取り付けられたジョイント部６０を介して電源線５６が挿通可能となっており、当該電源線５６を建物１０の屋外３２側から屋内４４側へ引き込むことができる。そして、この電源線５６を屋内４４側に配設されたコンセント又は分電盤等の電源部に接続させる。
【００４１】
一般的に、図示はしないが、水切部材２２は建物１０の外壁２１と基礎部１２との間に設けられた隙間６４を覆っているため、建物１０の外壁２１に当該水切部材２２が設けられている状態では、当該隙間６４に電源線５６を通すことは困難である。
【００４２】
しかし、本実施形態では、水切部材２４に電源線５６が挿通可能な孔部５４が設けられている。これにより、当該水切部材２４を通じて屋外３２側から屋内４４側へ引き込んだ電源線５６を床下空間６６や壁内６８に配策させ、屋内４４側に配設された電源部に接続させることができる。つまり、電機機器５８（図３参照）の電源線５６の配策経路を確保することができる。これにより、建物１０の屋外３２側にある電機機器５８に対して、建物１０の屋内４４側から電力を供給することができる。
【００４３】
すなわち、建物１０の外壁２１にコンセントを設けることなく、屋内４４側から屋外３２側に設けられた電機機器５８への電力供給を可能にすることができる。このように、本実施形態では、外壁２１にコンセント用の穴や電源線５６を引き込むための穴等を開ける必要はないので、外壁２１における耐力及び防水性を損なうことがない。
【００４４】
また、水切部材２４を交換するだけで、水切部材２４がいわゆるジョイントボックスとして適用され、電源線５６の引き込みが可能となるため工期が短縮される。さらに、電機機器５８の設置を止める際は、当該水切部材２４を水切部材２２へ取り替えれば良い。
【００４５】
また、水切部材２４には突出部５２が設けられ、当該突出部５２の下部に設けられた底壁５２Ｃに孔部５４が形成されているため、建物１０を正面視した状態で当該孔部５４が外観に露出することはない。したがって、建物１０の外観を損なう恐れは少ない。
【００４６】
さらに、突出部５２は水切部材２４の長手方向の一端部に設けられている。これにより、建物１０の出隅部や入隅部に突出部５２が配置されるように水切部材２４を取り付けることができる。つまり、目立たない位置に突出部５２を配置することができる。また、水切部材２４における突出部５２の幅を必要最小限とすることができ、水切部材２４においてコンパクト化を図ることができる。
【００４７】
（その他の実施形態）
図１に示されるように、本実施形態では、水切部材２４は当該水切部材２４の長手方向の一端部に突出部５２が設けられているが、突出部５２の位置はこれに限るものではない。
【００４８】
例えば、図４（Ａ）に示されるように、水切部材２４における長手方向の中央部に突出部５２が設けられていても良いし、図４（Ｂ）に示されるように、水切部材２４における長手方向の他端部に突出部５２が設けられていても良い。これにより、建物１０の屋外３２に設置する電機機器５８の配置場所に合わせて水切部材２４の形状を選択することができる。
【００４９】
また、ここでは、水切部材２４を通じて屋外３２側から屋内４４側へ引き込んだ電源線５６を床下空間６６又は壁内６８に配策させ、屋内４４側に配設された電源部に接続させるようにしている。しかし、屋外３２側に設置された電機機器５８の電源線５６を屋内４４側の電源部に接続させることができれば良いため、これに限るものではない。例えば、屋内４４側の電源部に接続され、床下空間６６又は壁内６８に配策された電源線に接続された電源部に電源線５６を接続させるようにしても良い。
【００５０】
以上、本発明を実施するための一形態として一実施例を用いて説明したが、本発明はこうした一実施例に何ら限定されるものではなく、本発明の要旨を逸脱しない範囲内において、上述した一実施例に種々の変形及び置換を加えることができる。
【符号の説明】
【００５１】
１０    建物
１２    基礎部
２０    外壁材（外壁）
２０Ａ  表面
２１    外壁
２４    水切部材
２８    カバー部（水切本体）
３２    屋外
４４    屋内
５２Ｃ  底壁
５２    突出部
５４    孔部
５６    電源線
５８    電機機器
【図１】
2014227650.tif 000003
【図２】
2014227650.tif 000004
【図３】
2014227650.tif 000005
【図４】
2014227650.tif 000006